(57)【特許請求の範囲】
【請求項１】
床置き式の筐体内に配置された気液接触部材と、この気液接触部材に電解水を供給する電解水供給手段と、電解水が浸透した気液接触部材に室内の空気を送風する送風ファンと、前記気液接触部材の下方に滴下する電解水を貯留するための支持皿と、この支持皿に挿入され貯留している電解水を汲み上げる循環ポンプとを備え、
前記支持皿の側面およびこの支持皿の側面と対向する前記筐体内部の側面のいずれか一方に突部を形成し、他方の側面に前記突部と係合するレール溝を形成し、前記レール溝は、前記支持皿を前記筐体から着脱する際に、前記循環ポンプが前記支持皿の外側に位置するまで前記突部を下方に誘導する態様で形成されていることを特徴とする床置き式空気除菌装置。
【請求項２】
前記レール溝は、前記支持皿を引き出す側から奥行き方向に向かって略水平に延びる水平移動部と、この水平移動部の奥端から上側又は斜め上側に向かって延びる上下移動部とで構成されていることを特徴とする請求項１に記載の床置き式空気除菌装置。
【発明の詳細な説明】
【技術分野】
【０００１】
本発明は、空中浮遊微生物ウィルス等の除去が可能な例えば可搬式の床置き式空気除菌装置に関する。
【背景技術】
【０００２】
一般に、空中浮遊微生物ウィルス等の除去を目的として、空気中に電解水ミストを拡散させて、この電解水ミストを空中浮遊微生物に直接接触させ、ウィルス等を不活化する除菌装置が提案されている。この除菌装置では、空気中に電解水ミストを拡散させるために、次亜塩素酸を含む水を不織布から成る加湿エレメント（気液接触部材）に供給して浸透させ、送風機の風を加湿エレメントに当てることにより、加湿エレメントの水分を放出させるようになっている（例えば、特許文献１参照）。
【特許文献１】特開平２００２−１８１３５８号公報
【発明の開示】
【発明が解決しようとする課題】
【０００３】
しかしながら、上記除菌装置では、微粒子状の電解水ミストが到達しやすい使用環境下、すなわち、比較的小空間では効力を発揮するものの、電解水ミストが到達しにくい使用環境下、すなわち、大空間、例えば幼稚園や小・中・高等学校や、介護保険施設や、病院等では効力を発揮しにくいという問題がある。そこで、上述した従来の技術が有する課題を解消し、大空間の空気除菌が可能な床置き式空気除菌装置が開発されている。この除菌装置は、電解水の浸透した気液接触部材に室内の空気を送風することで、気液接触部材を通過する室内の空気を除菌し、除菌した空気を再び室内に戻すものである。
【０００４】
この除菌装置では、水を電気分解して電解水を生成するための電解槽を備えている。一方、電解槽から気液接触部材に供給された電解水は、気液接触部材の下側にある水受け皿に滴下し、さらには、水受け皿の下側に配設された支持皿に流入して貯留される。この支持皿の内部には、貯留された水を汲み上げる循環ポンプが支持皿の上方から挿入されており、汲み上げられた水は再び電解槽へと送られて、上述の経路を循環するようになっている。
【０００５】
上述の支持皿の底部には、電解水によって除菌された濃縮物が沈殿するため、除菌装置から取り外して定期的に洗浄することが好ましい。しかしながら、支持皿の内部には循環ポンプが挿入されており、支持皿を除菌装置の前方に引き出そうとすると、支持皿と循環ポンプとが干渉してしまう。
【０００６】
本発明は、上述した事情に鑑みてなされたものであり、支持皿を取り外す際にこの支持皿と循環ポンプとが干渉することがない床置き式空気除菌装置を提供することを目的とする。
【課題を解決するための手段】
【０００７】
本発明では、床置き式の筐体内に配置された気液接触部材と、この気液接触部材に電解水を供給する電解水供給手段と、電解水が浸透した気液接触部材に室内の空気を送風する送風ファンと、前記気液接触部材の下方に滴下する電解水を貯留するための支持皿と、この支持皿に挿入され貯留している電解水を汲み上げる循環ポンプとを備え、前記支持皿の側面およびこの支持皿の側面と対向する前記筐体内部の側面のいずれか一方に突部を形成し、他方の側面に前記突部と係合するレール溝を形成し、前記レール溝は、前記支持皿を前記筐体から着脱する際に、前記循環ポンプが前記支持皿の外側に位置するまで前記突部を下方に誘導する態様で形成されていることを特徴とする。
この構成によれば、支持皿の突部をレール溝に沿って移動させることにより、支持皿と循環ポンプとが干渉しないように支持皿を取り外すことができる。
【０００８】
この場合において、前記レール溝は、前記支持皿を引き出す側から奥行き方向に向かって略水平に延びる水平移動部と、この水平移動部の奥端から上側又は斜め上側に向かって延びる上下移動部とで構成することができる。
この構成によれば、支持皿が取り付けられた状態から上下移動部に沿って支持皿を下側又は斜め下側に向けて誘導することができ、さらに、水平移動部に沿って支持皿を引き出し側へ引き出すことができる。
【発明の効果】
【０００９】
本発明によれば、前記レール溝は、前記支持皿を前記筐体から着脱する際に、前記循環ポンプが前記支持皿の外側に位置するまで前記突部を下方に誘導する態様で形成されていることにより、支持皿の突部をレール溝に沿って移動させることにより、支持皿と循環ポンプとが干渉しないように支持皿を取り外すことができる。
また、支持皿が取り付けられた状態から上下移動部に沿って支持皿を下側又は斜め下側に向けて誘導することができるので、支持皿の突部をレール溝に沿って移動させることにより、支持皿と循環ポンプとが干渉しないように支持皿を取り外すことができる。さらに、水平移動部に沿って支持皿を引き出し側へ引き出すことができるので、支持皿を傾けた状態にせずに水平に引き出すことができる。
【発明を実施するための最良の形態】
【００１０】
以下、本発明の実施の形態に係る床置き式空気除菌装置について、図面を参照しながら説明する。図１は、本発明の実施の形態に係る床置き式空気除菌装置の全体斜視図を示す。なお、以下の説明において、上下、左右及び前後の方向は、図１の状態における方向を示すものとする。
図１において、符号１は、床置き式空気除菌装置を示す。この床置き式空気除菌装置１は、箱形の筐体２を備え、この筐体２は、脚片２Ａと、前パネル２Ｂと、天パネル２Ｃとを含み、この天パネル２Ｃの両側には、操作蓋２Ｄ、開閉蓋２Ｅがそれぞれ横並びに配置されている。
【００１１】
図２は、図１に示す床置き式空気除菌装置の前パネル２Ｂ及び天パネル２Ｃを取り外した状態を示す。この筐体２の内部は、上下方向に延びる２つの仕切り板４０ａ，４０ｂによって３つの部屋４１ａ，４１ｂ，４１ｃに画成されている。左側に位置する電装室４１ａには、図示しない制御用の基板などが収納されている。右側に位置する給水室４１ｂには、着脱可能な給水タンク１１や、循環する電解水を貯留するための着脱可能な支持皿１０などが収納されている。
図３は、図２の中央部で上下に切断した状態を示す側部断面である。中央に位置する除菌室４１ｃには、図２及び図３に示すように、その下部に横長の吸込口３が形成され、この吸込口３の上方にはプレフィルター３Ａが配置されている。このプレフィルター３Ａの上方には送風ファン７が配置され、この送風ファン７の上方には、保水性の高い気液接触部材５が、図３に示すように、筋交い状に配置され、この気液接触部材５の上方には、横長の吹出口４が配置されている。
【００１２】
筐体２の除菌室４１ｃには、図２及び図３に示すように、上下方向の中央部に略水平な平面を有する支持板８が取り付けられており、この支持板８には、送風ファン７が取り付けられている。この支持板８の平面には、気液接触部材５の左右方向の中央位置に、上下方向に貫通する開口部８ａが形成されている。この開口部８ａには、送風ファン７の送風口７ａが上側に向けて配置されており、送風ファン７から送風される風は、上方に向けて吹き出すようになっている。
【００１３】
一方、上述した気液接触部材５は、ハニカム構造を持ったフィルタ部材であって、気体接触面積が広く確保され、電解水滴下が可能で、目詰まりしにくい構造になっている。すなわち、この気液接触部材５は、図４に示すように、波形状に曲げられた素材５Ａと、平板状の素材５Ｂとを接合し、全体としてハニカム状に形成されている。これら素材５Ａ，５Ｂには、後述する電解水に反応性の少ない素材、要するに、電解水による劣化が少ない素材、例えば、ポリオレフィン樹脂系、ＰＥＴ樹脂系、塩化ビニル樹脂系、フッ素樹脂系またはセラミックス樹脂系等の素材が使用されている。気液接触部材５の傾斜角θは、３０°以上であることが望ましい。それ以下の場合、滴下した電解水が、気液接触部材５の傾斜に沿って流れず、下方に落下するためである。また、傾斜角θが９０°に近づいた場合、気液接触部材５を通過する送風経路が水平に近くなり、その分だけ上方への吹き出しが困難になる。この吹き出し方向を水平にした場合、吹き出し空気を遠くに送風できなくなり、後述するように、大空間の除菌に適した装置とならない。この傾斜角θは、８０°＞θ＞３０°が好ましく、本構成では約４０°である。
【００１４】
図５Ａ〜図５Ｃは、気液接触部材５に電解水を滴下する手段を示す。
この気液接触部材５の下方には、水受け皿９（図３参照）が配置され、この水受け皿９の下流部の下側には、水受け皿９から流入する水を貯留するための支持皿１０が給水室４１ｂの内部に配設されている。この支持皿１０には、当該支持皿１０内に塩素イオンを含む水道水を供給する給水タンク１１と、吸水口が支持皿１０の内部に挿入される循環ポンプ１３とが配置されている。この循環ポンプ１３には電解槽３１が接続され、この電解槽３１には電解水供給管１７が接続されている。この電解水供給管１７は、外周部に多数の散水孔（図示せず）を備えて構成され、図５Ｂに示すように、気液接触部材５の上縁部に形成された散水ボックス５Ｃ中に挿入されている。
【００１５】
電解槽３１には、図５Ｃに示すように、電極３２、３３を備え、電極３２、３３は、通電された場合、電解槽３１に流入した水を電気分解して活性酸素種を生成させる。ここで、活性酸素種とは、通常の酸素よりも高い酸化活性を持つ酸素と、その関連物質のことであり、スーパーオキシドアニオン、一重項酸素、ヒドロキシルラジカル、或いは過酸化水素といった、いわゆる狭義の活性酸素に、オゾン、次ハロゲン酸等といった、いわゆる広義の活性酸素を含めたものとする。電解槽３１は、気液接触部材５に接近して配置され、水を電気分解して生成された活性酸素種を、ただちに気液接触部材５に供給できるように構成される。
【００１６】
電極３２，３３は、例えばベースがＴｉ（チタン）で皮膜層がＩｒ（イリジウム）、Ｐｔ（白金）から構成された電極板であり、この電極３２，３３に印加する電流値は、電流密度で数ｍＡ（ミリアンペア）／ｃｍ2（平方センチメートル）〜数十ｍＡ／ｃｍ2として、所定の遊離残留塩素濃度（例えば１ｍｇ（ミリグラム）／ｌ（リットル））を発生させる。
【００１７】
上記電極３２，３３により水に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、
水に含まれる塩素イオン（水に予め添加されているもの）が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となる。
【００１８】
この構成では、電極３２，３３に通電することで、殺菌力の大きいＨＣｌＯ（次亜塩素酸）が発生し、この次亜塩素酸が供給された気液接触部材５に空気を通過させることにより、この気液接触部材５で雑菌が繁殖することを防止でき、気液接触部材５を通過する空気中に浮遊するウィルスを不活化することができる。また、臭気も気液接触部材５を通過する際に、電解水中の次亜塩素酸と反応し、イオン化して溶解することで、空気中から除去され、脱臭されることになる。
【００１９】
図６は、支持皿１０を単品の状態で見た斜視図である。支持皿１０は、発砲材料で形成されており、その外形形状が略直方体を成している。この支持皿１０の内部は、中空形状に形成されており、その上面に開口を有している。また、支持皿１０は、仕切り壁１０ａによって内部が左右に仕切られており、左側の内部に循環ポンプ１３の吸水口１３ａが挿入され、右側の内部に給水タンク１１が支持されている。この仕切り壁１０ａは中央部に溝１０ｂが形成されており、この溝１０ｂを通って電解水が左右へ自由に流れるようになっている。
【００２０】
支持皿１０の右側面部１０ｃには、この右側面部１０ｃの奥側下部に突部５０が設けられており、また、右側面部１０ｃの前側下部には、上下方向に平面部が向くように支持金具５１が設けられている。この突部５０及び支持金具５１は、右側面部１０ｃから支持皿１０の内部側と反対方向に突出しており、それぞれ発泡成型時に支持皿１０に一体に取り付けられている。また、支持皿１０の左側面部１０ｄにも、突部５０及び支持金具５１が右側面部５０ｃと左右対称となるように設けられている。
【００２１】
図７は、給水室４１ｂの下側であって、支持皿１０が取り付けられる部分を示す斜視図を示す。給水室４１ｂは、仕切り板４０ｂによって左側の側面４０ｃが形成され、筐体２の側板２Ｘによって右側の側面２Ｚが形成されている。この両側の壁面には、支持皿１０を着脱する際にこの支持皿１０を案内するための一対の案内板５２が設けられている。この案内板５２には、支持皿１０の突部５０が係合するレール溝５３と、支持皿１０の支持金具５１が係合する保持溝５４とが形成されている。
レール溝５３は、筐体２の表面部２Ｙから奥行き方向に水平に延びる水平移動部５３ａと、この水平移動部５３ａの奥側端部から上方斜め奥側に延びる上下移動部５３ｂと、この上下移動部５３ｂの上側端部から奥行き方向へ水平に少し延びる固定溝部５３ｃとを備えている。
保持溝５４は、固定溝部５３ｃとほぼ同じ高さで、筐体２の表面部２Ｙから奥行き方向に水平に延在している。
【００２２】
次に、本発明の実施の形態に係る床置き式空気除菌装置の作用について説明する。
支持皿１０を筐体２の内部に取り付けた状態では、支持皿１０の内部には、図６に示すように、循環ポンプ１３と給水タンク１１とが挿入されている。また、支持皿１０は、図８に示すように、筐体２の内部の給水室４１ｂに取り付けられたとき、突部５０がレール溝５３の固定溝部５３ｃで係合すると共に、支持金具５１が保持溝５４に係合している。
この状態から支持皿１０を取り外すには、まず支持皿１０を筐体２の表面部２Ｙ側に水平に引き出して、支持金具５１と保持溝５４との係合を解除する。この水平移動距離は、支持皿１０の内壁と循環ポンプ１３及び給水タンク１１とが干渉しない長さとなっている。
【００２３】
支持金具５１と保持溝５４との係合を解除した後、支持皿１０の水平を維持したまま、支持皿１０を斜め下側に移動させる。このとき、支持皿１０の突部５０が上下移動部５３ｂの延在する方向に沿って案内されることにより、支持皿１０は一定の経路によって斜め下側に移動することになる。この一定の経路は、支持皿１０の後側の内壁と循環ポンプ１３及び給水タンク１１とが干渉しないように、支持皿１０の形状および移動経路が決定されている。支持皿１０は、上下移動部５３ｂの下端まで案内された状態で、循環ポンプ１３及び給水タンク１１が支持皿１０の内部の外側に位置するところまで移動する。
【００２４】
最後に、支持皿１０の水平を維持したまま、支持皿１０を筐体２の表面部２Ｙ側に水平に引き出す。このとき、支持皿１０の突部５０が水平移動部５３ａの延在する方向に沿って案内されることにより、支持皿１０は水平に移動する。そして、突部５０がレール溝５３の開部５３ｄから外れることにより、支持皿１０が筐体２から外れるようになる。
なお、支持皿１０を筐体２の内部に取り付ける場合には、逆の手順を行うことにより、支持皿１０と循環ポンプ１３及び給水タンク１１とが干渉しないように取り付けることができる。
【００２５】
本発明の実施の形態に係る床置き式空気除菌装置によれば、レール溝５３が、支持皿１０を筐体２の内部から着脱する際に、循環ポンプ１３が支持皿１０の外側に位置するまで突部５０を下方に誘導する態様で形成されていることにより、支持皿１０の突部５０をレール溝５３に沿って移動させることにより、支持皿１０と循環ポンプ１３とが干渉しないように支持皿１０を取り外すことができる。
また、支持皿１０が取り付けられた状態から上下移動部５３ｂに沿って支持皿を斜め下側に向けて誘導することができるので、支持皿１０の突部５０をレール溝５３に沿って移動させることにより、支持皿１０と循環ポンプ１３とが干渉しないように支持皿１０を取り外すことができる。さらに、水平移動部５３ｂに沿って支持皿１０を引き出し側へ引き出すことができるので、支持皿１０を傾けた状態にせずに水平に引き出すことができる。
【００２６】
以上、本発明を実施するための最良の形態について述べたが、本発明は既述の実施形態に限定されるものではなく、本発明の技術思想に基づいて各種の変形および変更が可能である。
本実施の形態では、支持皿１０に突部５０を設け、筐体２側にレール溝５３を設けているが、支持皿１０側にレール溝５３を設けて、筐体２側に突部５０を設けてもよい。これにより、支持皿１０と循環ポンプ１３とが干渉しないように支持皿１０を取り外すことができる。
また、上下移動部５３ｂを斜めに形成したが、上下方向に垂直に形成してもよい。これにより、支持皿１０と循環ポンプ１３とが干渉しないように支持皿１０を取り外すことができる。
【図面の簡単な説明】
【００２７】
【図１】本発明の実施の形態に係る床置き式空気除菌装置を示す全体斜視図である。
【図２】図１における床置き式空気除菌装置の前パネル及び天パネルを外した状態を示す斜視図である。
【図３】図２の中央部で上下方向に切断した状態を示す側部断面図である。
【図４】本発明の実施の形態に係る床置き式空気除菌装置に使用する気液接触部材を正面から見た状態を示す拡大図である。
【図５】気液接触部材に電解水を滴下する手段を示す系統図であり、Ａは側面図、Ｂは散水ボックスの断面図、Ｃは電解槽の構成図である。
【図６】本発明の実施の形態に係る床置き式空気除菌装置に使用される支持皿を単体で示す全体斜視図である。
【図７】本発明の実施の形態に係る床置き式空気除菌装置の給水室の下側部分を示す斜視図である。
【図８】本発明の実施の形態に係る床置き式空気除菌装置に使用される支持皿を給水室の下側部分に取り付けた状態を示す斜視図である。
【符号の説明】
【００２８】
１  床置き式空気除菌装置
２  筐体
２Ｘ  側板
２Ｙ  表面部
２Ｚ  側面
５  気液接触部材
８  支持板
８ａ  開口部
９  水受け皿
１０  支持皿
１０ａ  仕切り壁
１０ｂ  溝
１０ｃ，１０ｄ  側面
１１  給水タンク
１３  循環ポンプ
１３ａ  吸水口
３１  電解槽
３２、３３  電極
４０ａ，４０ｂ  仕切り板
４０ｃ  側面
４１ａ  電装室
４１ｂ  給水室
４１ｃ  除菌室
５０  突部
５１  支持金具
５２  案内板
５３  レール溝
５３ａ  水平移動部
５３ｂ  上下移動部
５３ｃ  固定溝部
５４  保持溝
【図１】
0004663518.tif 000002
【図２】
0004663518.tif 000003
【図３】
0004663518.tif 000004
【図４】
0004663518.tif 000005
【図５】
0004663518.tif 000006
【図６】
0004663518.tif 000007
【図７】
0004663518.tif 000008
【図８】
0004663518.tif 000009